【手続補正書】
【提出日】平成26年1月10日(2014.1.10)
【手続補正１】
【補正対象書類名】明細書
【補正対象項目名】発明の名称
【補正方法】変更
【補正の内容】
【発明の名称】画像処理装置および方法、並びに、記録媒体
【手続補正２】
【補正対象書類名】明細書
【補正対象項目名】０００１
【補正方法】変更
【補正の内容】
【０００１】
本発明は、画像処理装置および方法、並びに、記録媒体に関し、特に、符号化処理の効率の低減を抑制しながら、符号化効率を向上させることができるようにした画像処理装置および方法、並びに、記録媒体に関する。
【手続補正３】
【補正対象書類名】明細書
【補正対象項目名】００２０
【補正方法】変更
【補正の内容】
【００２０】
本発明の一側面は、画像データを符号化する際の符号化モードとして、前記画像データを符号化データとして出力する符号化モードである非圧縮モードを選択するかを、階層構造を有する符号化単位毎に設定する符号化モード設定部と、前記符号化モード設定部により設定されたモードに従って、前記画像データを前記符号化単位毎に符号化する符号化部とを備える画像処理装置である。
【手続補正４】
【補正対象書類名】明細書
【補正対象項目名】００２１
【補正方法】変更
【補正の内容】
【００２１】
前記符号化モード設定部により前記非圧縮モードが設定された符号化単位を対象として、符号化する際のビット深度を設定させるように制御する制御部をさらに備えることができる。
前記符号化モード設定部により前記非圧縮モードが設定された符号化単位を対象として、符号化する際のビット深度を変更する処理をスキップさせるように制御する制御部をさらに備えることができる。
【手続補正５】
【補正対象書類名】明細書
【補正対象項目名】００２２
【補正方法】変更
【補正の内容】
【００２２】
前記符号化モード設定部により前記非圧縮モードが設定された符号化単位を対象として、ローカルデコードされた画像にフィルタリングを行うフィルタ処理をスキップさせるように制御する制御部をさらに備えることができる。
【手続補正６】
【補正対象書類名】明細書
【補正対象項目名】００２３
【補正方法】変更
【補正の内容】
【００２３】
前記符号化モード設定部により前記非圧縮モードが設定された符号化単位を対象として、ローカルデコードされた画像にフィルタリングを行うフィルタ処理を適用するかスキップするかを選択させるように制御する制御部をさらに備えることができる。
【手続補正７】
【補正対象書類名】明細書
【補正対象項目名】００２４
【補正方法】変更
【補正の内容】
【００２４】
前記フィルタ処理が行われるかを識別するフィルタ識別情報を生成するフィルタ識別情報生成部をさらに備えることができる。
【手続補正８】
【補正対象書類名】明細書
【補正対象項目名】００２５
【補正方法】変更
【補正の内容】
【００２５】
前記符号化モード設定部は、カレント符号化単位の前記画像データのデータ量である入力データ量が、前記カレント符号化単位の前記画像データが符号化された符号化データの符号量以下である場合、前記カレント符号化単位の符号化モードを、前記非圧縮モードに設定することができる。
【手続補正９】
【補正対象書類名】明細書
【補正対象項目名】００２６
【補正方法】変更
【補正の内容】
【００２６】
前記入力データ量を算出する入力データ量算出部をさらに備え、前記符号化モード設定部は、前記カレント符号化単位を対象として、前記入力データ量算出部により算出された前記入力データ量と、前記符号量とを比較することができる。
【手続補正１０】
【補正対象書類名】明細書
【補正対象項目名】００２７
【補正方法】変更
【補正の内容】
【００２７】
前記符号化モード設定部により前記非圧縮モードが設定されたかを示す符号化モード識別情報を生成する符号化モード識別情報生成部をさらに備えることができる。
前記符号化モード識別情報生成部は、前記符号化モード識別情報を、前記符号化単位毎に生成することができる。
複数の符号化単位から構成されるブロックに前記非圧縮モードが設定された符号化単位があることを識別する識別情報を生成する識別情報生成部をさらに備えることができる。
前記複数の符号化単位から構成されるブロックは、最大サイズの符号化単位であるLCU（Largest Coding Unit）であるようにすることができる。
【手続補正１１】
【補正対象書類名】明細書
【補正対象項目名】００２８
【補正方法】変更
【補正の内容】
【００２８】
本発明の一側面は、また、画像処理装置の画像処理方法であって、画像データを符号化する際の符号化モードとして、前記画像データを符号化データとして出力する符号化モードである非圧縮モードを選択するかを、階層構造を有する符号化単位毎に設定し、設定されたモードに従って、前記画像データを前記符号化単位毎に符号化する画像処理方法である。
本発明の一側面は、さらに、請求項１に記載の画像処理装置により生成された符号化ストリームが記録された記録媒体である。
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】変更
【補正の内容】
【００３５】
本発明の一側面においては、画像データを符号化する際の符号化モードとして、画像データを符号化データとして出力する符号化モードである非圧縮モードを選択するかが、階層構造を有する符号化単位毎に設定され、設定されたモードに従って、前記画像データが前記CU毎に符号化される。
【手続補正１９】
【補正対象書類名】明細書
【補正対象項目名】００３６
【補正方法】削除
【補正の内容】
【手続補正２０】
【補正対象書類名】特許請求の範囲
【補正対象項目名】全文
【補正方法】変更
【補正の内容】
【特許請求の範囲】
【請求項１】
画像データを符号化する際の符号化モードとして、前記画像データを符号化データとして出力する符号化モードである非圧縮モードを選択するかを、階層構造を有する符号化単位毎に設定する符号化モード設定部と、
前記符号化モード設定部により設定されたモードに従って、前記画像データを前記符号化単位毎に符号化する符号化部と
を備える画像処理装置。
【請求項２】
前記符号化モード設定部により前記非圧縮モードが設定された符号化単位を対象として、符号化する際のビット深度を設定させるように制御する制御部
をさらに備える請求項１に記載の画像処理装置。
【請求項３】
前記符号化モード設定部により前記非圧縮モードが設定された符号化単位を対象として、符号化する際のビット深度を変更する処理をスキップさせるように制御する制御部
をさらに備える請求項１に記載の画像処理装置。
【請求項４】
前記符号化モード設定部により前記非圧縮モードが設定された符号化単位を対象として、ローカルデコードされた画像にフィルタリングを行うフィルタ処理をスキップさせるように制御する制御部
をさらに備える請求項１に記載の画像処理装置。
【請求項５】
前記符号化モード設定部により前記非圧縮モードが設定された符号化単位を対象として、ローカルデコードされた画像にフィルタリングを行うフィルタ処理を適用するかスキップするかを選択させるように制御する制御部
をさらに備える請求項１に記載の画像処理装置。
【請求項６】
前記フィルタ処理が行われるかを識別するフィルタ識別情報を生成するフィルタ識別情報生成部をさらに備える
請求項５に記載の画像処理装置。
【請求項７】
前記符号化モード設定部は、カレント符号化単位の前記画像データのデータ量である入力データ量が、前記カレント符号化単位の前記画像データが符号化された符号化データの符号量以下である場合、前記カレント符号化単位の符号化モードを、前記非圧縮モードに設定する
請求項１に記載の画像処理装置。
【請求項８】
前記入力データ量を算出する入力データ量算出部をさらに備え、
前記符号化モード設定部は、前記カレント符号化単位を対象として、前記入力データ量算出部により算出された前記入力データ量と、前記符号量とを比較する
請求項７に記載の画像処理装置。
【請求項９】
前記符号化モード設定部により前記非圧縮モードが設定されたかを示す符号化モード識別情報を生成する符号化モード識別情報生成部をさらに備える
請求項１に記載の画像処理装置。
【請求項１０】
前記符号化モード識別情報生成部は、前記符号化モード識別情報を、前記符号化単位毎に生成する
請求項９に記載の画像処理装置。
【請求項１１】
複数の符号化単位から構成されるブロックに前記非圧縮モードが設定された符号化単位があることを識別する識別情報を生成する識別情報生成部
をさらに備える請求項９に記載の画像処理装置。
【請求項１２】
前記複数の符号化単位から構成されるブロックは、最大サイズの符号化単位であるLCU（Largest Coding Unit）である
請求項１１に記載の画像処理装置。
【請求項１３】
画像処理装置の画像処理方法であって、
画像データを符号化する際の符号化モードとして、前記画像データを符号化データとして出力する符号化モードである非圧縮モードを選択するかを、階層構造を有する符号化単位毎に設定し、
設定されたモードに従って、前記画像データを前記符号化単位毎に符号化する
画像処理方法。
【請求項１４】
請求項１に記載の画像処理装置により生成された符号化ストリームが記録された記録媒体。